(57)【要約】【課題】  縦框と横框との端部の接合の際、及び戸板框の内周部への額縁の取り付けの際に、余剰の接着剤が接合部から溢れ出すことを防止できる額縁構造戸板を得る。【解決手段】  縦框１と横框２のいずれか一方の端部にほぞ部８を設け、他方の端部にほぞ溝部９を設け、前記ほぞ部８をほぞ溝部９に嵌合し接着剤で接着して前記縦框１と横框２の端部を接合して形成された矩形形状の戸板框５と、鏡板６が填め込まれている額縁７とからなり、前記戸板框５の内周端部と前記額縁７の外周端部とのいずれか一方の端部にほぞ部１１を設け、他方の端部にほぞ溝部１３を設け、前記ほぞ部１１をほぞ溝部１３に嵌合して接着剤で接着して前記戸板框５の内周端部と前記額縁７の外周端部を接合して構成された額縁構造戸板において、前記ほぞ部８，１１を設けた端部とほぞ溝部９，１３を設けた端部における当接面２０，２１，２４，２５の間で前記ほぞ部９，１１と接する側に接着剤溜まり凹部２２，２６を設けた。【選択図】    図３
2006266030.tif 000002
【特許請求の範囲】
【請求項１】
縦框と横框のいずれか一方の端部にほぞ部を設け、他方の端部にほぞ溝部を設け、前記ほぞ部をほぞ溝部に嵌合し接着剤で接着して前記縦框と横框の端部を接合して形成された矩形形状の戸板框と、鏡板が填め込まれている額縁とからなり、前記戸板框の内周端部と前記額縁の外周端部とのいずれか一方の端部にほぞ部を設け、他方の端部にほぞ溝部を設け、前記ほぞ部をほぞ溝部に嵌合して接着剤で接着して前記戸板框の内周端部と前記額縁の外周端部を接合して構成された額縁構造戸板において、
前記ほぞ部を設けた端部とほぞ溝部を設けた端部における当接面の間で前記ほぞ部と接する側に接着剤溜まり凹部が設けられていることを特徴とする額縁構造戸板。
【請求項２】
前記縦框と横框のいずれか一方の端部の端縁に、切欠凸段部が設けられ、接合された前記縦框の端部と横框の端部との間に前記切欠凸段部による目地溝が形成されており、また、前記縦框と横框とにより形成される戸板框の内周端部と前記額縁の外周端部とのいずれか一方の端部の端縁に、切欠凸段部が設けられ、接合された前記戸板框の内周端部と額縁の外周端部との間に前記切欠凸段部による目地溝が形成されていることを特徴とする請求項１に記載の額縁構造戸板。
【発明の詳細な説明】
【技術分野】
【０００１】
本発明は、住宅、住宅機器、家具等に使用される額縁構造をした額縁構造戸板に関するものである。
【背景技術】
【０００２】
住宅、住宅機器、家具等に使用される戸板として、図１１に示すように、縦框１と横框２との端部３，４を接合して形成された戸板框５の内周部に、鏡板６が填め込まれている額縁７が取り付けられた額縁構造戸板がある。この額縁構造戸板において、戸板框５の角部分における縦框１と横框２との接合には、主として、図１１に示すように、矩形からなる縦框１の端部３と横框２の端部４を直角に当接させて継ぐ、いわゆる組み継ぎと、図示しないが、縦框１及び横框２の端部を４５度に切断し、該切断箇所を直角に継ぐ、いわゆる、留め継ぎがある。
【０００３】
その接合構造は、一般に、図１２に示すように、縦框１の端部３にほぞ部８を設け、横框２の端部４にほぞ溝部９を設け、前記ほぞ部８をほぞ溝部９に嵌合し接着剤で接着して前記縦框１と横框２の端部３，４を接合して矩形形状の戸板框５が形成されている。また、戸板框５の内周部への額縁７の取り付けにあっても、図１３に示すように、戸板框５の内周端部１０、即ち、戸板框５を構成する縦框１と横框２の内周端部１０ａ，１０ｂにほぞ部１１を設け、前記額縁７の外周端部１２にほぞ溝部１３を設け、前記ほぞ部１１をほぞ溝部１３に嵌合して接着剤で接着して取り付けている。
【０００４】
また、美観を高め高級感を得るといった意匠的要求や縦框１と横框２の収縮により外観を損ねることを防ぐものとして、前記戸板框５を構成する縦框１の端部３と横框２の端部４との間、また戸板框５と額縁７の間に、目地溝１４，１５が形成されている。前記縦框１の端部３と横框２の端部４との間の目地溝１４は次のようにして形成されている。即ち、前記図１２に示すように、縦框１の端部３に、ほぞ部８に至らない切欠凸段部１６が設けられ、横框２の端部４には、ほぞ溝部９の内面に前記切欠凸段部１６に嵌り、且つ前記切欠凸段部１６より幅の狭い切欠凹段部１７が設けられ、そして、前記ほぞ部８をほぞ溝部９に嵌合したとき、前記切欠凸段部１６が切欠凹段部１７に嵌合（相じゃくり）し、このときに切欠凸段部１６と切欠凹段部１７の幅の差により生じる溝によって、縦框１の端部３と横框２の端部４との間に目地溝１４が形成されている。
【０００５】
また、前記戸板框５と額縁７の間の目地溝１５も次のようにして形成されている。即ち、前記図１３に示すように、戸板框５の内周端部１０、即ち、戸板框５を構成する縦框１と横框２の内周端部１０ａ，１０ｂに、ほぞ部１１に至らない切欠凸段部１８が設けられ、額縁７の外周端部１２には、ほぞ溝部１３の内面に前記切欠凸段部１８に嵌り、且つ前記切欠凸段部１８より幅の狭い切欠凹段部１９が設けられ、そして、前記ほぞ部１１をほぞ溝部１３に嵌合したとき、前記切欠凸段部１８が切欠凹段部１９に嵌合（相じゃくり）し、このときに切欠凸段部１８と切欠凹段部１９の幅の差により生じる溝によって、戸板框５と額縁７の間に目地溝１５が形成されている（例えば、特許文献１参照。）。
【特許文献１】特開平５−７１２７２号公報
【発明の開示】
【発明が解決しようとする課題】
【０００６】
前記の縦框１と横框２との端部３，４の接合では、ほぞ部８をほぞ溝部９に嵌合し接着剤で接着し、また、戸板框５の内周部への額縁７の取り付けにあっても、ほぞ部１１をほぞ溝部１３に嵌合して接着剤で接着しているが、その際の接着剤の塗布量を厳密に管理しないで塗布量にバラツキがでると、余剰の接着剤が接合部から溢れ出すことがあり、仕上がり外観上大変見苦しいものとなるといった問題があった。
【０００７】
また、前記縦框１と横框２の間、前記戸板框５と額縁７の間の目地溝１４，１５は、次のようにして形成されている。即ち、縦框１の端部３及び戸板框５の内周端部１０に、切欠凸段部１６，１８が設けられ、横框２の端部４及び額縁７の外周端部１２には、前記切欠凸段部１６，１８に嵌り、且つ前記切欠凸段部１６，１８より幅の狭い切欠凹段部１７，１９が設けられ、前記切欠凸段部１６，１８を切欠凹段部１７，１９に嵌合したときに切欠凸段部１６，１８と切欠凹段部１７，１９の幅の差により生じる溝によって前記目地溝１４，１５が形成されている。従って、切欠凸段部１６，１８と切欠凹段部１７，１９の厚さ方向の寸法が等しくならないと、目地溝１４，１５を挟んで対向する縦框１と横框２との間や戸板框５と額縁７の間に段差が生じて見苦しくなり、このため、切欠凸段部１６，１８と切欠凹段部１７，１９に厳しい加工精度が要求されるといった問題があった。
【０００８】
本発明の目的は、縦框と横框との端部の接合の際、及び戸板框の内周部への額縁の取り付けの際に、余剰の接着剤が接合部から溢れ出すことを防止できる額縁構造戸板を提供することにある。
【０００９】
本発明の他の目的は、目地溝を挟んで対向する縦框と横框との間や戸板框と額縁の間の段差を有効に防止し、仕上がり精度及び外観的にも優れ、更には製造が容易で安価に得ることができる額縁構造戸板を提供することにある。
【課題を解決するための手段】
【００１０】
上記の目的を達成するために、請求項１に記載の発明は、縦框と横框のいずれか一方の端部にほぞ部を設け、他方の端部にほぞ溝部を設け、前記ほぞ部をほぞ溝部に嵌合し接着剤で接着して前記縦框と横框の端部を接合して形成された矩形形状の戸板框と、鏡板が填め込まれている額縁とからなり、前記戸板框の内周端部と前記額縁の外周端部とのいずれか一方の端部にほぞ部を設け、他方の端部にほぞ溝部を設け、前記ほぞ部をほぞ溝部に嵌合して接着剤で接着して前記戸板框の内周端部と前記額縁の外周端部を接合して構成された額縁構造戸板において、前記ほぞ部を設けた端部とほぞ溝部を設けた端部における当接面の間で前記ほぞ部と接する側に接着剤溜まり凹部が設けられていることを特徴とする。
【００１１】
請求項２に記載の発明は、請求項１に記載の額縁構造戸板の、前記縦框と横框のいずれか一方の端部の端縁に、切欠凸段部が設けられ、接合された前記縦框の端部と横框の端部との間に前記切欠凸段部による目地溝が形成されており、また、前記縦框と横框とにより形成される戸板框の内周端部と前記額縁の外周端部とのいずれか一方の端部の端縁に、切欠凸段部が設けられ、接合された前記戸板框の内周端部と額縁の外周端部との間に前記切欠凸段部による目地溝が形成されていることを特徴とする。
【発明の効果】
【００１２】
請求項１に記載の発明によれば、縦框と横框のいずれか一方の端部にほぞ部を設け、他方の端部にほぞ溝部を設け、前記ほぞ部をほぞ溝部に嵌合し接着剤で接着して前記縦框と横框の端部を接合して形成された矩形形状の戸板框と、鏡板が填め込まれている額縁とからなり、前記戸板框の内周端部と前記額縁の外周端部のいずれか一方の端部にほぞ部を設け、他方の端部にほぞ溝部を設け、前記ほぞ部をほぞ溝部に嵌合して接着剤で接着して前記戸板框の内周端部と前記額縁の外周端部を接合して構成された額縁構造戸板において、前記ほぞ部を設けた端部とほぞ溝部を設けた端部における当接面の間で前記ほぞ部と接する側に接着剤溜まり凹部が設けられているので、前記ほぞ部をほぞ溝部に嵌合したとき、接着剤の塗布量が多少多めになっていても、余剰の接着剤はこの接着剤溜まり凹部に溜まり、接着剤が縦框と横框との端部の接合部や戸板框の内周部への額縁の接合部から溢れ出すことを防止することができ、仕上がり外観の優れた額縁構造戸板を得ることができる。
【００１３】
請求項２に記載の発明によれば、請求項１に記載の額縁構造戸板の、前記縦框と横框のいずれか一方の端部の端縁に、切欠凸段部が設けられ、接合された前記縦框の端部と横框の端部との間に前記切欠凸段部による目地溝が形成されており、また、前記縦框と横框とにより形成される戸板框の内周端部と前記額縁の外周端部とのいずれか一方の端部の端縁に、切欠凸段部が設けられ、接合された前記戸板框の内周端部と額縁の外周端部との間に前記切欠凸段部による目地溝が形成されており、縦框と横框とのいずれか他方の端部の端縁や戸板框の内周端部と前記額縁の外周端部とのいずれか他方の端部の端縁には、従来のような切欠凸段部に嵌る切欠凹段部に該当する構成を必要としないので、前記切欠凸段部の加工精度が多少低下しても、目地溝を挟んで対向する縦框と横框との間や戸板框と額縁の間に段差が生じることを極力防止することができ、仕上がり外観の優れた額縁構造戸板を得ることができるとともに、構成が簡単になるので製造が容易となり安価に得ることができる。
【発明を実施するための最良の形態】
【００１４】
以下、本発明に係る額縁構造戸板を実施するための最良の形態を図面により詳細に説明する。  
図１乃至図８は本発明に係る額縁構造戸板の実施の形態の第１例を示したもので、図１は本例の額縁構造戸板の正面図、図２は図１の左上角部の拡大図、図３は図１のＡ−Ａ線拡大断面図、図４は図３の要部拡大図、図５は図１のＢ−Ｂ線拡大断面図、図６は図５の要部拡大図、図７は図１のＣ−Ｃ線拡大断面図、図８は図７の要部拡大図である。
【００１５】
本例の額縁構造戸板は、一対の縦框１と一対の横框２との端部３，４が接合されて矩形形状の戸板框５が形成され、戸板框５の内周部に、鏡板６が填め込まれている額縁７が取り付けられた構成となっている。また、縦框１の端部３と横框２の端部４との間、また戸板框５と額縁７の間に、目地溝１４，１５が形成されている。
【００１６】
前記戸板框５の角部分における縦框１と横框２との接合構造にあっては、本例では、矩形からなる縦框１の端部３と横框２の端部４を直角に当接させて継ぐ、いわゆる組み継ぎ構造となっているが、これに限定されるものではない。
【００１７】
本例では、縦框１の端部３にほぞ部８を設け、横框２の端部４にほぞ溝部９を設けている。本例の縦框１と横框２との接合構造が組み継ぎ構造であるので、前記縦框１の端部３は、後述するところの縦框１の内周端部１０ａの長手方向の端部で構成されている。
【００１８】
更に、縦框１の端部３に設けたほぞ部８を横框２の端部４に設けたほぞ溝部９に嵌合したときに当接する縦框１の当接面２０と横框２の当接面２１の間で前記ほぞ部８と接する側には、接着剤溜まり凹部２２が設けられている。本例では、前記横框２の当接面２１のほぞ溝部９側の端縁が面取されており、横框２の当接面２１の面取部２３とほぞ部８の表面と縦框１の当接面２０とで囲われた空間により前記接着剤溜まり凹部２２が形成されている。
【００１９】
前記接着剤溜まり凹部２２を形成するための横框２の当接面２１の面取はテーパ状にカットした形状となっているが、これに限定されるものではなく、また、接着剤溜まり凹部２２の大きさを決定する面取量も接着剤の溜まり量を勘案して求められる。
【００２０】
前記横框２の当接面２１の面取部２３とほぞ部８の表面と縦框１の当接面２０とで囲われた空間により形成される前記接着剤溜まり凹部２２の形状は、本例に示すような断面形状が略直角三角形に限定されるものではなく、円形、半円形、楕円形、半楕円形、矩形、その他、曲線形状等が好適なものとして例示できる。
【００２１】
このようにすることにより、戸板框５の形成に際し、縦框１の端部３に設けたほぞ部８に接着剤を塗布して横框２の端部４に設けたほぞ溝部９に嵌合したとき、接着剤の塗布量が多少多めになっていても、余剰の接着剤はこの接着剤溜まり凹部２２に溜まり、接着剤が縦框１と横框２との端部３，４の接合部から溢れ出すことを防止することができる。
【００２２】
また、前記のようにして縦框１と横框２により形成された戸板框５と額縁７との接続構造は次のようになっている。戸板框５の内周端部１０、即ち、戸板框５を構成する縦框１と横框２の内周端部１０ａ，１０ｂにほぞ部１１を設け、前記額縁７の外周端部１２にほぞ溝部１３を設けている。前記縦框１の内周端部１０ａに設けたほぞ部１１は、前記縦框１の端部３に設けたほぞ部８の延長線上に設けられている。
【００２３】
更に、戸板框５の内周端部１０に設けたほぞ部１１を額縁７の外周端部１２に設けたほぞ溝部１３に嵌合したときに当接する戸板框５の内周端部１０の当接面２４と額縁７の外周端部１２の当接面２５の間で前記ほぞ部１１と接する側には、接着剤溜まり凹部２６が設けられている。本例では、前記額縁７の外周端部１２の当接面２５のほぞ溝部１３側の端縁が面取されており、額縁７の外周端部１２の当接面２５の面取部２７とほぞ部１１の表面と戸板框５の内周端部１０の当接面２４とで囲われた空間により前記接着剤溜まり凹部２６が形成されている。
【００２４】
前記接着剤溜まり凹部２６を形成するための額縁７の外周端部１２の当接面２５の面取はテーパ状にカットした形状となっているが、これに限定されるものではなく、また、接着剤溜まり凹部２６の大きさを決定する面取量も接着剤の溜まり量を勘案して求められる。前記接着剤溜まり凹部２６の形状は、本例に示すような断面形状が略直角三角形に限定されるものではなく、円形、半円形、楕円形、半楕円形、矩形、その他、曲線形状等が好適なものとして例示できる。
【００２５】
このようにすることにより、戸板框５の内周部に額縁７を取り付ける際に、戸板框５の内周端部１０に設けたほぞ部１１に接着剤を塗布して額縁７の外周端部１２に設けたほぞ溝部１３に嵌合したとき、接着剤の塗布量が多少多めになっていても、余剰の接着剤はこの接着剤溜まり凹部２６に溜まり、接着剤が戸板框５の内周端部と額縁７の外周端部の接合部から溢れ出すことを防止することができる。
【００２６】
更に、本例では、前記縦框１の端部３の端縁に切欠凸段部２８が設けられ、接合された前記縦框１の端部３と横框２の端部４との間に前記切欠凸段部２８による目地溝１４が形成されている。また、前記縦框１と横框２とにより形成される戸板框５の内周端部１０、即ち、戸板框５を形成する縦框１と横框２の内周端部１０ａ，１０ｂの端縁に、切欠凸段部２９が設けられ、接合された前記戸板框５の内周端部１０と額縁７の外周端部１２との間に前記切欠凸段部２９による目地溝１５が形成されている。前記縦框１の内周端部１０ａの端縁に設けられた切欠凸段部２９は、前記縦框１の端部３の端縁に設けた切欠凸段部２８の延長線上に設けられている。
【００２７】
更に本例では、前記戸板框５を形成する縦框１と横框２は、何れも内部に中空部を有する、いわゆるフラッシュ構造となっている。縦框１にあっては、図３乃至図６に示すように、表裏の２枚の表面化粧板３０の間に少なくとも２本の断面四角形の芯材３１Ａ，３１Ｂを、芯材３１Ａが２枚の表面化粧板３０の外周端部内に面一で収まり、芯材３１Ｂが２枚の表面化粧板３０の端部と内周端部（縦框１の端部３、内周端部１０ａ）から一部が前記ほぞ部８，１１として突出して、接着剤で接着されて構成されている。そして、前記２枚の表面化粧板３０の端部と内周端部の端縁の外面側に、前記目地溝１４，１５を形成する切欠凸段部２８，２９が設けられている。
【００２８】
また、横框２にあっては、図７乃至図８に示すように、その長手方向において、表裏の２枚の表面化粧板３２の間に少なくとも２本の断面四角形の芯材３３Ａ，３３Ｂを、芯材３３Ａが２枚の表面化粧板３２の外周端部内に面一で収まり、芯材３３Ｂが２枚の表面化粧板３２の内周端部（横框２の内周端部１０ｂ）から一部が前記ほぞ部１１として突出して、接着剤で接着されて構成されている。そして、横框２の短手方向において、断面四角形の芯材３３Ｃが設けられており、該芯材３３Ｃの箇所において２枚の表面化粧板３２の両端部（横框２の端部４）の間が開口しており、前記ほぞ部８として突出している縦框１の芯材３１Ｂを嵌合するほぞ溝部９となっている。更に前記２枚の表面化粧板３２の両端部の端面は、横框２の当接面２１となり、２枚の表面化粧板３２の両端部端面の内面側の端縁が面取されて前記面取部２３が形成されており、２枚の表面化粧板３２の面取部２３と縦框１のほぞ部８となる前記芯材３１Ｂの表面と縦框１を構成する２枚の表面化粧板３０の当接面２０とで囲われた空間により前記接着剤溜まり凹部２２が形成されるようになっている。
【００２９】
なお、本例では、縦框１の端部３にほぞ部８を設け、横框２の端部４にほぞ溝部９を設けているが、縦框１の端部３にほぞ溝部９を設け、横框２の端部４にほぞ部８を設けてもよく（図示せず）、また、本例では、前記横框２の当接面２１のほぞ溝部９側の端縁が面取されており、横框２の当接面２１の面取部２３とほぞ部８の表面と縦框１の当接面２０とで囲われた空間により前記接着剤溜まり凹部２２が形成されているが、前記縦框１の当接面２０のほぞ部８側の端縁を面取し、縦框１の当接面２０の面取部とほぞ部８の表面と横框２の当接面２１とで囲われた空間により前記接着剤溜まり凹部２２を形成してもよい（図示せず）。
【００３０】
また、本例では、戸板框５の内周端部１０、即ち、戸板框５を構成する縦框１と横框２の内周端部１０ａ，１０ｂにほぞ部１１を設け、前記額縁７の外周端部１２にほぞ溝部１３を設けているが、戸板框５の内周端部１０、即ち、戸板框５を構成する縦框１と横框２の内周端部１０ａ，１０ｂにほぞ溝部１３を設け、前記額縁７の外周端部１２にほぞ部１１を設けてもよく（図示せず）、また、本例では、前記額縁７の外周端部１２の当接面２５のほぞ溝部１３側の端縁が面取されており、額縁７の外周端部１２の当接面２５の面取部２７とほぞ部１１の表面と戸板框５の内周端部１０の当接面２４とで囲われた空間により前記接着剤溜まり凹部２６が形成されているが、前記戸板框５の内周端部１０の当接面２４のほぞ部１１側の端縁を面取し、戸板框５の内周端部１０の当接面２４の面取部とほぞ部１１の表面と額縁７の外周端部１２の当接面２５とで囲われた空間により前記接着剤溜まり凹部２６を形成してもよい（図示せず）。
【００３１】
図９及び図１０は、本発明に係る額縁構造戸板の実施の形態の第２例を示したもので、図９、図１０は要部拡大断面図である。  
本例では、縦框１の当接面２０のほぞ部８側の端縁と、横框２の当接面２１のほぞ溝部９側の端縁が対向するように面取されており、縦框１の当接面２０の面取部３４と横框２の当接面２１の面取部２３とほぞ部８の表面とで囲われた空間により前記接着剤溜まり凹部２２が形成されている（図９）。
【００３２】
また、本例では、戸板框５の内周端部１０の当接面２４のほぞ部１１側の端縁と額縁７の外周端部１２の当接面２５のほぞ溝部１３側の端縁が対向するように面取されており、戸板框５の内周端部１０の当接面２４の面取部３５と額縁７の外周端部１２の当接面２５の面取部２７とほぞ部１１の表面とで囲われた空間により前記接着剤溜まり凹部２６が形成されている（図１０）。他の構成は、前記第１例と同様となっている。
【００３３】
このようにすると、接着剤溜まり凹部２６は大きくなり、接着剤が縦框１と横框２との端部３，４の接合部や戸板框５の内周端部と額縁７の外周端部の接合部から溢れ出すことを一層効果的に防止することができる。
【００３４】
また、前記第１例及び第２例では、縦框１の端部３の端縁に切欠凸段部２８が設けられ、接合された前記縦框１の端部３と横框２の端部４との間に前記切欠凸段部２８による目地溝１４が形成され、また、前記縦框１と横框２とにより形成される戸板框５の内周端部１０、即ち、戸板框５を形成する縦框１と横框２の内周端部１０ａ，１０ｂの端縁に、切欠凸段部２９が設けられ、接合された前記戸板框５の内周端部１０と額縁７の外周端部１２との間に前記切欠凸段部２９による目地溝１５が形成されている。前記縦框１の内周端部１０ａの端縁に設けられた切欠凸段部２９は、前記縦框１の端部３の端縁に設けた切欠凸段部２８の延長線上に設けられているが、横框１の端部４の端縁に切欠凸段部２８を設け、接合された前記縦框１の端部３と横框２の端部４との間に前記切欠凸段部２８による目地溝１４を形成し、また、額縁７の外周端部１２の端縁に切欠凸段部２９を設け、接合された前記戸板框５の内周端部１０と額縁７の外周端部１２との間に前記切欠凸段部２９による目地溝１５を形成してもよい（図示せず）。
【００３５】
このような構成によれば、前記縦框１の端部３の端縁と横框２の端部４の端縁のいずれか一方に切欠凸段部２８が設けられ、接合された前記縦框１の端部３と横框２の端部４との間に前記切欠凸段部２８による目地溝１４が形成され、また、前記縦框１と横框２とにより形成される戸板框５の内周端部１０ａ，１０ｂの端縁と前記額縁７の外周端部１２の端部の端縁のいずれか一方に、切欠凸段部２９が設けられ、接合された前記戸板框５の内周端部１０ａ，１０ｂと額縁７の外周端部１２との間に前記切欠凸段部２９による目地溝１５が形成されており、前記目地溝１４，１５の形成には、前記縦框１の端部３の端縁と横框２の端部４の端縁のいずれか他方に、切欠凸段部２８に嵌る切欠凹段部を、また、前記縦框１と横框２とにより形成される戸板框５の内周端部１０ａ，１０ｂの端縁と前記額縁７の外周端部１２の端部の端縁のいずれか他方に、切欠凸段部２９に嵌る切欠凹段部を必要としないので、前記切欠凸段部２８，２９の加工精度が多少低下しても、目地溝１４，１５を挟んで対向する縦框１と横框２との間や戸板框５と額縁７の間に段差が生じることを極力防止することができ、仕上がり外観の優れた額縁構造戸板を得ることができるとともに、構成が簡単になるので製造が容易となり安価に得ることができる。
【００３６】
また、前記第１例及び第２例では、前記戸板框５を形成する縦框１と横框２は、何れも内部に中空部を有する、いわゆるフラッシュ構造となっているが、密実構造であってもよい（図示せず）。
【図面の簡単な説明】
【００３７】
【図１】本発明に係る額縁構造戸板の実施の形態の第１例を示す正面図。
【図２】図１の左上角部の拡大図。
【図３】図１のＡ−Ａ線拡大断面図。
【図４】図３の要部拡大図。
【図５】図１のＢ−Ｂ線拡大断面図。
【図６】図５の要部拡大図。
【図７】図１のＣ−Ｃ線拡大断面図。
【図８】図７の要部拡大図。
【図９】本発明に係る額縁構造戸板の実施の形態の第２例の要部拡大断面図。
【図１０】本発明に係る額縁構造戸板の実施の形態の第２例の要部拡大断面図。
【図１１】従来の額縁構造戸板を示す正面図。
【図１２】図１１の要部拡大断面図である。
【図１３】図１１の要部拡大断面図である。
【符号の説明】
【００３８】
１  縦框
２  横框
３，４  端部
５  戸板框
６  鏡板
７  額縁
８  ほぞ部
９  ほぞ溝部
１０，１０ａ，１０ｂ  内周端部
１１  ほぞ部
１２  外周端部
１３  ほぞ溝部
１４，１５  目地溝
１６  切欠凸段部
１７  切欠凹段部
１８  切欠凸段部
１９  切欠凹段部
２０，２１  当接面
２２  接着剤溜まり凹部
２３  面取部
２４，２５  当接面
２６  接着剤溜まり凹部
２７  面取部
２８，２９  切欠凸段部
３０  表面化粧板
３１Ａ，３１Ｂ  芯材
３２  表面化粧板
３３Ａ，３３Ｂ，３３Ｃ  芯材
３４，３５  面取部
【図１】
2006266030.tif 000003
【図２】
2006266030.tif 000004
【図３】
2006266030.tif 000005
【図４】
2006266030.tif 000006
【図５】
2006266030.tif 000007
【図６】
2006266030.tif 000008
【図７】
2006266030.tif 000009
【図８】
2006266030.tif 000010
【図９】
2006266030.tif 000011
【図１０】
2006266030.tif 000012
【図１１】
2006266030.tif 000013
【図１２】
2006266030.tif 000014
【図１３】
2006266030.tif 000015